(57)【特許請求の範囲】
【請求項１】
側面を押圧することによりノズルを通じてオイルをライターに注入するようにしたライター用オイル罐を保管、保持するものであって、自立可能なホルダー本体の一側にオイル罐の側面を押圧する押圧子を備えた保持部を設け、該保持部に取り外し自在に取付けた前記オイル罐のノズルに案内管を介して一端が連通する弁装置を、前記ホルダー本体の他の一側に外部から開閉操作可能に設け、ライターにオイルを注入する注入材を前記弁装置の他の一端に連通させて前記ホルダー本体に突出自在に取付けた、ライター用オイル罐のホルダー。
【発明の詳細な説明】
【０００１】
【産業上の利用分野】
本発明は、側面を押圧することによりノズルを通じてオイルをライターに注入するようにしたライター用オイル罐のホルダーに関するものである。
【０００２】
【従来の技術】
品質の良さやデザインの普遍性などからある種のオイルライターについての愛好者が多いことは知られているが、該愛好者は、当該ライターそのものは勿論、オイル罐などの付属品にもこだわりがある。
【０００３】
このこだわりの一つとしてオイルの注入作業が挙げられるが、従来は、当該ライターの純正付属品としてオイル罐を用意し、該オイル罐を用いてライターにオイルを直接注入するようにしている。
【０００４】
【発明が解決しようとする課題】
しかしながら、オイル罐を用いた直接注入では指先でオイル罐に直接触れるため指先を汚すおそれがあり、前記のこだわりを充たすものとはいえない。
【０００５】
本発明は、オイルライター愛好家のライターに関するこだわりを満足させる製品を提供するために創案したものである。
【０００６】
【課題を解決するための手段】
側面を押圧することによりノズルを通じてオイルをライターに注入するようにしたライター用オイル罐のホルダーにおいて、自立可能なホルダー本体の一側にオイル罐の側面を押圧する押圧子を備えた保持部を設け、該保持部に取り外し自在に取付けた前記オイル罐のノズルに案内管を介して一端が連通する弁装置を、前記ホルダー本体の他の一側に外部から開閉操作可能に設け、ライターにオイルを注入する注入材を前記弁装置の他の一端に連通させて前記ホルダー本体に突出自在に取付けて構成する。
【０００７】
【実施例】
図面は本発明に係るライター用オイル罐のホルダーの一実施例を示し、図１は一部欠截正面図、図２は図１の一部欠截拡大図、図３は一部欠截側面図、図４は他の一部欠截正面図である。
【０００８】
実施例のライター用オイル罐のホルダーＡは、側面を指先などで押圧することによりノズル１を通じて燃料となるオイルをライター２に注入するようにしたライター用オイル罐３を取り外し自在に組込み、前記指先に代る押圧子４でオイル罐３の側面を押圧することより、オイルをノズル１に連通する案内管５を通じて弁装置６を経て注入管７よりを前記ライター２に注入できるようにし、このオイルの注入操作時以外の時は前記オイル罐３をホルダー本体Ａａ内に収納し、屋内（机上の）装飾品として用いるようにしたものである。
【０００９】
前記ホルダー本体Ａａは、基枠Ａｂ（図示省略してあるが、引出しを設けて、ライター石やライター用のドライバーその他の付属品を収納できるようにしてある）上に立設し、一側面の開口部に該開口部を開閉する保持基板Ａｃを備えたもので、保持基板Ａｃは下端側に設けた部片８を前記本体Ａａに備えた支承部片９に枢軸１２で回動自在に組付け、枢軸１２を中心に回動させて前記開口部を開閉し、閉塞状態時には、上端側に設けた係止片１０が本体Ａａに設けた受止片１１に係止し、前記オイル罐３の保持状態を得るようにしたものである。
【００１０】
保持基板Ａｃは、その裏面（内面）側に、上端側を開口した枠状の保持枠１３を備え、該保持枠１３に上方側から前記オイル罐３を嵌挿して係離自在に組込むようにしてあり、この保持枠１３の下部にはオイル罐３の前記ノズル１を挿入して受支するノズル受１４を設け、前記案内管５に連通させてある。
【００１１】
また、保持基板Ａｃとの中間部には前記押圧子４を設けて、保持枠１３に組込んだオイル罐３の側面を押圧できるようにしてある。
【００１２】
押圧子４は、保持基板Ａｃに設けた窓孔を貫通させて、該基板Ａｃの内側に突設した支持筒１６に受支させ、前記保持枠１３に設けた透孔１７を通じてオイル罐３の側面に接触するようにしており、保持基板Ａｃより突出する部分を指先で押圧することにより前記支持筒１６の軸線に沿って移動し、前記の通りオイル罐３の側面を押圧し、オイルをノズル受１４を通じて案内管５に送り込むようになっている。
【００１３】
一端をノズル受１４に連通させた案内管５の他の一端は、前記ホルダー本体Ａａの他の一側に設けた前記弁装置６に連通させてあり、弁装置６は、前記ホルダー本体Ａａに取付けた凹入基枠１８に回動自在に取付けた注入管材１９の主体筒２０に開閉杆２１を摺嵌し、開閉杆２１を前記ホルダー本体Ａａの外部に設けた操作片２２で操作して主体筒２０内に設けたオイル通路２３ａ上を移動させ、該通路２３ａと注入管材１９を構成する前記注入管７に設けたオイル通路２３ｂ間の開閉を行うようにしたもので、開閉杆２１の後部側の細杆部２１´に巻回したコイルスプリング２４を前記凹入基枠１８に挿着した蓋材１５と開閉杆２１部に介在させ、開閉杆２１を前記通路２３ａ，２３ｂ間を常時閉塞する方向に付勢させ、蓋材２４を通じて外部に導出した前記細杆部２１´に揺動片２５を係止し、この揺動片２５を前記操作片２２で揺動させることにより前記オイル通路２３ａ，２３ｂ間の閉塞が行われる。
【００１４】
なお、注入管材１９は図３の２点鎖線で示すように、凹入基枠１８内に収まっている状態位置からほぼ９０度回動し、該回動状態は、注入管材１９と凹入基枠１８の接触抵抗の利用により維持され、この回動状態にしてオイルライター２に対する注入操作（作業）が行われる。
【００１５】
しかして、保持枠１３内にオイル罐３を逆さにして嵌挿して組込み、保持基板Ａｃを枢軸１２を中心に回動させて係止片１０を受止片１１に係止させると、オイル罐３のホルダー本体Ａａ内への組込み状態を得られる。
【００１６】
この状態で操作片２２を操作して注入管７を凹入基枠１８（ホルダー本体Ａａ）より引出すと、図３の２点鎖線で示す注入管７のライター２に対する注入姿勢状態を得られ、操作片２２を操作して弁装置６を開放した後（弁装置の開放状態は操作片２２部材の揺動片２５との接触で維持される）、押圧子１５を押圧すると、オイル罐３内のオイルは、ノズル受１４、案内管５、オイル通路２３ａ、オイル通路、２３ｂおよび注入管７を順次通じて、指先で注入管７の直下に配置したライター２に注入されるのである。
【００１７】
【発明の効果】
本発明は前記の通りの構成であるから、オイル罐を保持した状態で指先を汚すおそれがなく、ライターに燃料であるオイルを注入でき、また、オイル罐を保管、保持する、という斬新な商品を提供することができる。
【図面の簡単な説明】
【図１】一部欠截正面図。
【図２】図１の一部欠截拡大図。
【図３】一部欠截側面図。
【図４】他の一部欠截正面図。
【符号の説明】
１      ノズル
２      ライター
３      オイル罐
４      押圧子
５      案内管
６      弁装置
１９    注入材
Ａａ    ホルダー本体
【図１】
0003609702.tif 000002
【図２】
0003609702.tif 000003
【図３】
0003609702.tif 000004
【図４】
0003609702.tif 000005